(57)【要約】【課題】尿等の体液が繰り返し排泄された場合におけるゲルブロッキングが起こりづらく、吸収速度の低下が良好に抑制された、薄型の吸収性物品を提供する。【解決手段】吸収体２０は、上層基体不織布２１０と下層基体不織布２１１の間に高吸収性ポリマーを配置した高吸収性シートであり、吸収体２０は、平面視において、下層基体不織布２１１の身体側表面が起毛した起毛領域２０Ａと、下層基体不織布２１１の身体側表面が起毛していない非起毛領域２０Ｂと、に区分され、起毛領域２０Ａは、長手方向に連続する略帯状であり、起毛領域２０Ａは複数設けられ、起毛領域２０Ａ同士が幅方向で離間しており、高吸収性ポリマーは、非起毛領域２０Ｂにのみ配置されており、起毛領域２０Ａの幅方向の寸法が１０ｍｍ以上２０ｍｍ以下である、吸収性物品を提供する。【選択図】図２
2019115552.tif 000002
【特許請求の範囲】
【請求項１】
液透過性のトップシートと、液不透過性のバックシートと、トップシート及びバックシートの間に配置された吸収体と、を有する吸収性物品であって、
前記吸収体は、上層基体不織布と下層基体不織布の間に高吸収性ポリマーを配置した高吸収性シートであり、
前記吸収体は、平面視において、前記下層基体不織布の身体側表面が起毛した起毛領域と、前記下層基体不織布の身体側表面が起毛していない非起毛領域と、に区分され、
前記起毛領域は、長手方向に連続する略帯状であり、
前記起毛領域は複数設けられ、前記起毛領域同士が幅方向で離間しており、
前記高吸収性ポリマーは、前記非起毛領域にのみ配置されており、
前記起毛領域の幅方向の寸法が１０ｍｍ以上２０ｍｍ以下である、吸収性物品。
【請求項２】
複数の前記起毛領域のうちの一つが、前記吸収体の幅方向の略中心部に設けられており、幅方向の略中心部に設けられた前記起毛領域の幅方向の寸法が、他の前記起毛領域の幅方向の寸法よりも大きい、請求項１に記載の吸収性物品。
【請求項３】
前記上層基体不織布と前記下層基体不織布に、幅方向に沿って、複数のヒートシールが形成されており、
前記ヒートシールは、それぞれ長手方向に略等間隔に離間して形成されており、
前記ヒートシールが形成された部位において、前記上層基体不織布と前記下層基体不織布が前記ヒートシールにより接合している、請求項１又は２に記載の吸収性物品。
【請求項４】
前記下層基体不織布がエアスルー不織布であり、前記基体不織布の、坪量が２０ｇ／ｍ２以上３００ｇ／ｍ２以下であり、厚みは２ｍｍ以上１０ｍｍ以下である、請求項１から３のいずれかに記載の吸収性物品。
【請求項５】
前記吸収性物品が、前記吸収体と前記バックシートとの間に、フラッフパルプ及び高吸収性ポリマーを備える第二吸収体を有する、請求項１から４のいずれかに記載の吸収性物品。
【発明の詳細な説明】
【技術分野】
【０００１】
本発明は、尿等の体液が繰り返し排泄された場合におけるゲルブロッキングが起こりづらく、吸収速度の低下が良好に抑制された、薄型の吸収性物品に関する。
【背景技術】
【０００２】
一般に吸収性物品は、液透過性のトップシートと、液不透過性のバックシートと、トップシート及びバックシートの間に配置された吸収体と、で構成されており、これにより、尿等の体液は、トップシートを通って吸収体に吸収される。吸収性物品には、想定される使用状況における体液の排出量に応じて、様々な吸収量のものが存在する。これらのうち、比較的少量の尿を吸収するものとして、軽失禁パッドが知られている。ここで、軽失禁パッドを着用するに際し、着用者がジーンズ等のパンツスタイルである場合には、軽失禁パッドが外観上目立つ場合がある。
【０００３】
ここで、これら吸収性物品を構成する吸収体について、フラッフパルプと高吸収性ポリマー（Ｓｕｐｅｒ  Ａｂｓｏｒｂｅｎｔ  Ｐｏｌｙｍｅｒ、ＳＡＰとも称される）を併用することが一般的であったが、主に薄型化を目的として、基体となる不織布と高吸収性ポリマーからなり、フラッフパルプを含有しない、いわゆる高吸収性シート（ＳＡＰシートとも称される）を吸収体として用いることもあり、高吸収性シートを備える吸収性物品についても、検討されている。
【０００４】
このような吸収性物品として、例えば、特許文献１には、透液性又は難透液性の第１シートと、透液性の第２シートと、第１及び第２シート間に介在され、かつ、少なくとも両シートのうちのいずれか一方の内面に固定された吸液性コアを含む吸液域とを有し、吸液性コアは高吸収性ポリマー粒子を含み、吸液域は、横方向における中央部に位置する中央凹部と、中央凹部の横方向の両側に位置し、中央凹部よりも肉厚の両側部とを有し、両側部の高吸収性ポリマー粒子の単位面積当たりの質量が中央凹部のそれよりも高いことを特徴とする高吸収性シートを備える吸収性物品が開示されている。
【先行技術文献】
【特許文献】
【０００５】
【特許文献１】特開２０１３−１４６４５９号公報
【発明の概要】
【発明が解決しようとする課題】
【０００６】
特許文献１に記載の吸収性物品では、吸収体として、フラッフパルプを含有しない高吸収性シートを採用しているため、薄型化を実現できており、着用感や吸収速度についての検討はなされているものの、当該高吸収性シートでは、高吸収性ポリマーが高密度に存在することにより、繰り返し使用する場合においては、いわゆるゲルブロッキングにより吸収速度が遅くなり、吸収性が低下する場合があった。したがって、本発明は以上の課題に鑑みてなされたものであり、尿等の体液が繰り返し排泄された場合におけるゲルブロッキングが起こりづらく、吸収速度の低下が良好に抑制された、薄型の吸収性物品を提供することを目的とする。
【課題を解決するための手段】
【０００７】
本発明の発明者らは、上記課題に鑑み、鋭意研究を行った、その結果、高吸収性シートを構成する基体不織布の一部を起毛させ、所定の位置に高吸収性ポリマーを配置することにより、上記課題を解決できることを見出し、本発明を完成するに至った。具体的には、本発明は、以下のものを提供する。
【０００８】
（１）本発明の第１の態様は、液透過性のトップシートと、液不透過性のバックシートと、トップシート及びバックシートの間に配置された吸収体と、を有する吸収性物品であって、前記吸収体は、上層基体不織布と下層基体不織布の間に高吸収性ポリマーを配置した高吸収性シートであり、前記吸収体は、平面視において、前記下層基体不織布の身体側表面が起毛した起毛領域と、前記下層基体不織布の身体側表面が起毛していない非起毛領域と、に区分され、前記起毛領域は、長手方向に連続する略帯状であり、前記起毛領域は複数設けられ、前記起毛領域同士が幅方向で離間しており、前記高吸収性ポリマーは、前記非起毛領域にのみ配置されており、前記起毛領域の幅方向の寸法が１０ｍｍ以上２０ｍｍ以下である、吸収性物品である。
【０００９】
（２）本発明の第２の態様は、（１）に記載の吸収性物品であって、複数の前記起毛領域のうちの一つが、前記吸収体の幅方向の略中心部に設けられており、幅方向の略中心部に設けられた前記起毛領域の幅方向の寸法が、他の前記起毛領域の幅方向の寸法よりも大きいことを特徴とするものである。
【００１０】
（３）本発明の第３の態様は、（１）又は（２）に記載の吸収性物品であって、前記上層基体不織布と前記下層基体不織布に、幅方向に沿って、複数のヒートシールが形成されており、前記ヒートシールは、それぞれ長手方向に略等間隔に離間して形成されており、前記ヒートシールが形成された部位において、前記上層基体不織布と前記下層基体不織布が前記ヒートシールにより接合していることを特徴とするものである。
【００１１】
（４）本発明の第４の態様は、（１）から（３）のいずれかに記載の吸収性物品であって、前記下層基体不織布がエアスルー不織布であり、前記下層基体不織布の、坪量が２０ｇ／ｍ２以上３００ｇ／ｍ２以下であり、厚みは２ｍｍ以上１０ｍｍ以下であることを特徴とするものである。
【００１２】
（５）本発明の第５の態様は、（１）から（４）のいずれかに記載の吸収性物品であって、前記吸収性物品が、前記吸収体と前記バックシートとの間に、フラッフパルプ及び高吸収性ポリマーを備える第二吸収体を有することを特徴とするものである。
【発明の効果】
【００１３】
本発明の吸収性物品において、吸収体は、上層基体不織布と下層基体不織布の間に高吸収性ポリマーを配置した高吸収性シートであり、吸収体は、平面視において、下層基体不織布の身体側表面が起毛した起毛領域と、下層基体不織布の身体側表面が起毛していない非起毛領域と、に区分され、起毛領域は、長手方向に連続する略帯状であり、起毛領域は複数設けられ、起毛領域同士が幅方向で離間しており、高吸収性ポリマーは、非起毛領域にのみ配置されているため、尿等の体液が繰り返し排泄された場合におけるゲルブロッキングが起こりづらく、吸収速度の低下が良好に抑制された、薄型の吸収性物品を提供することができる。
【図面の簡単な説明】
【００１４】
【図１】本発明の吸収性物品の平面図である。
【図２】図１のＸ１−Ｘ１断面図である。
【図３】基体不織布にヒートシールが形成されている態様を示す、本発明に用いる吸収体の斜視図である。
【発明を実施するための形態】
【００１５】
＜吸収性物品＞
本発明の実施形態に係る吸収性物品１としては、軽失禁パッドが例示されるが、本発明の吸収性物品１はこれに限定されるものではなく、軽失禁ライナー、生理用ナプキン、尿取りパッド、その他の吸収性物品であってもよい。図１は、本発明の吸収性物品１の平面図であり、図２は、本発明の吸収性物品１の断面図（図１のＸ１−Ｘ１断面図）である。吸収性物品１は、図１に示すように、身体側表面に配置された液透過性のトップシート１０と、トップシート１０に対向し、衣類側表面に配置された液不透過性のバックシート３０と、トップシート１０及びバックシート３０の間に配置された吸収体２０と、を備え、これにより、吸収体２０は、トップシート１０とバックシート３０との間に挟まれた構造となっている。本明細書の説明において、吸収性物品１及び各部材の長手方向とは、吸収性物品１が着用されたときに着用者の前後に亘る方向であり、図中、符号Ｙで示す方向である。また、吸収性物品１及び各部材の幅方向とは、長手方向に対して横又は直交する方向であり、図中、符号Ｘで示す方向である。さらに、本明細書において、身体側表面とは、吸収体２０等の各部材の表裏両面のうち、着用時に着用者の肌側に配される面であり、衣類側表面とは、吸収体２０等の各部材の表裏両面のうち、着用時に着用者の肌側とは反対側に向けられる面である。なお、吸収性物品１の、長手方向の寸法は１５０ｍｍ以上３００ｍｍ以下、幅方向の寸法は５０ｍｍ以上１５０ｍｍ以下、であることが好ましい。
【００１６】
〔吸収体〕
図２に示すように、吸収体２０は、上層基体不織布２１０と下層基体不織布２１１の間に高吸収性ポリマーを配置した高吸収性シートである。このように、吸収体２０が、フラッフパルプを含有しないため、薄型の吸収性物品１を得ることができる。また、吸収体２０の、長手方向の寸法は１４０ｍｍ以上２９０ｍｍ以下、幅方向の寸法は４０ｍｍ以上１４０ｍｍ以下、厚みは３ｍｍ以上１１ｍｍ以下であることが好ましい。
【００１７】
さらに、吸収体２０は、図１及び図２に示すように、平面視において、下層基体不織布２１１の身体側表面が起毛した起毛領域２０Ａと、下層基体不織布２１１の身体側表面が起毛していない非起毛領域２０Ｂと、に区分され、起毛領域２０Ａは、長手方向に連続する略帯状であり、起毛領域２０Ａは複数設けられ、起毛領域２０Ａ同士は幅方向で離間しており、高吸収性ポリマーは、非起毛領域２０Ｂにのみ配置されている、構造を有している。ここで、従来の高吸収性シートは、高吸収性ポリマーが高吸収性シートの全体に高密度で存在していたため、尿等の体液が繰り返し排泄された場合には、いわゆるゲルブロッキングが起こりやすく、これにより吸収速度が遅くなり、吸収性が低下する場合があった。本発明の吸収性物品１に用いる吸収体２０では、高吸収性ポリマーが非起毛領域２０Ｂにのみ配置されていることから、吸収体２０全体としての高吸収性ポリマーの密度は従来の高吸収性シートに比べて低い傾向にあり、さらに、起毛領域２０Ａにおいては、起毛させることにより起毛させない場合に比べて下層基体不織布２１１の繊維間空隙が増加するため、吸収体２０の衣類側まで尿等の体液を広く拡散及び浸透させることができる。すなわち、吸収体２０において、尿等の体液の拡散及び浸透を担う起毛領域２０Ａと、高吸収性ポリマーが配置され主な吸収を担う非起毛領域２０Ｂと、がバランスよく構成されているため、尿等の体液が繰り返し排泄された場合でも、ゲルブロッキングを起こしづらく、吸収速度の低下を良好に抑制することができる。
【００１８】
（起毛領域）
また、長手方向に連続する略帯状の起毛領域２０Ａの本数は、特に限定されないが、３本以上７本以下であることが好ましい。起毛領域２０Ａの本数を上記の範囲にすることにより、尿等の体液が拡散及び浸透しやすくなり、尿等の体液が繰り返し排泄された場合でも、ゲルブロッキングが起こりづらく、吸収速度の低下を良好に抑制することができる。
【００１９】
また、起毛領域２０Ａの幅方向の寸法は、１０ｍｍ以上２０ｍｍ以下であり、１５ｍｍ以上２０ｍｍ以下であることが好ましく、起毛領域２０Ａの長手方向の寸法は、１４０ｍｍ以上２９０ｍｍ以下であることが好ましい。起毛領域２０Ａの幅方向及び長手方向の寸法を、上記の範囲にすることにより、尿等の体液が繰り返し排泄された場合でも、ゲルブロッキングが起こりづらく、吸収速度の低下を良好に抑制することができる。さらに、この場合において、複数の起毛領域２０Ａのうちの一つが、吸収体２０の幅方向の略中心部に設けられており、幅方向の略中心部に設けられた起毛領域２０Ａの幅方向の寸法が、他の起毛領域２０Ａの幅方向の寸法よりも大きいことが好ましい。一般的に、吸収体２０の幅方向の略中心部が排尿領域になるため、起毛領域２０Ａの一つを吸収体２０の幅方向の略中心部に設け、かつ、幅方向の略中心部に設けられた起毛領域２０Ａの幅方向の寸法を、他の起毛領域２０Ａの幅方向の寸法よりも大きくすることにより、尿等の体液の拡散及び浸透をより効果的に向上させ、ゲルブロッキングをより起こしづらくすることができる。なお、この態様においては、バランスの観点から、起毛領域２０Ａの本数は奇数であることが好ましい。
【００２０】
また、隣接する起毛領域２０Ａ同士の幅方向の離間距離（隣接する起毛領域２０Ａの間に位置する非起毛領域２０Ｂの幅方向の寸法）は、１０ｍｍ以上４０ｍｍ以下であることが好ましく、２０ｍｍ以上３０ｍｍ以下であることがより好ましい。隣接する起毛領域２０Ａ同士の幅方向の離間距離（隣接する起毛領域２０Ａの間に位置する非起毛領域２０Ｂの幅方向の寸法）を上記の範囲にすることにより、尿等の体液の、起毛領域２０Ａによる拡散及び浸透と、非起毛領域２０Ｂの高吸収性ポリマーによる吸収と、のバランスが向上し、尿等の体液が繰り返し排泄された場合におけるゲルブロッキング発生による吸収速度の低下を防止することができる。
【００２１】
（基体不織布）
吸収体２０において、基体不織布として、上層基体不織布２１０と下層基体不織布２１１を用いている。これら基体不織布としては、例えば、エアスルー不織布、ポイントボンド不織布、スパンボンド不織布、メルトブロー不織布等の不織布や、スパンボンド不織布／メルトブロー不織布、スパンボンド不織布／メルトブロー不織布／スパンボンド不織布を積層した複合不織布を挙げることができる。これらの不織布のうち、嵩高さの得やすいエアスルー不織布を用いることが好ましい。特に、下層基体不織布２１１は、起毛領域２０Ａにおいて起毛させるため、嵩高なエアスルー不織布を用いることが好ましい。起毛領域２０Ａにおいて、下層基体不織布２１１の身体側表面を起毛させる方法としては、回転ノコ刃、ニードルパンチが挙げられ、インラインでの生産性やコストの観点から回転ノコ刃により毛羽立たせる方法を用いることが好ましい。
【００２２】
上層基体不織布２１０の厚みは、１ｍｍ以上５ｍｍ以下であることが好ましく、上層基体不織布２１０の坪量は、２０ｇ／ｍ２以上５０ｇ／ｍ２以下であることが好ましい。また、下層基体不織布２１１の厚みは、起毛されている部分もあるため、上層基体不織布２１０よりも厚くなりやすく、２ｍｍ以上１０ｍｍ以下であることが好ましく、下層基体不織布２１１の坪量は、２０ｇ／ｍ２以上３００ｇ／ｍ２以下であることが好ましい。
【００２３】
（高吸収性ポリマー）
高吸収性ポリマーとしては、尿を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。また、非起毛領域２０Ｂにおける高吸収性ポリマーの坪量は、吸収性能を確保するために、１０ｇ／ｍ２以上４００ｇ／ｍ２以下とすることが好ましく、３０ｇ／ｍ２以上３５０ｇ／ｍ２以下とすることがより好ましい。
【００２４】
また、粉体としての流動性が悪い微粉末を避けることにより、吸収に関する基本性能を高め、かつ、高吸収性シートが硬くなることにより発生するごつごつとした触感を低減する観点から、高吸収性ポリマーの中位粒子径は、５０μｍ以上６００μｍ以下であることが好ましく、１００μｍ以上５００μｍ以下であることがより好ましい。
【００２５】
高吸収性ポリマーは、ホットメルト接着剤により、非起毛領域２０Ｂにおいて、上層基体不織布２１０と下層基体不織布２１１の間で固定されてもよい。この場合、高吸収性ポリマーの吸収性を阻害せず、かつ、着用時の肌触りを損なわないように、ホットメルト接着剤の含有量は１０ｇ／ｍ２以下であることが好ましい。ホットメルト接着剤としては、融点が１００℃以上１８０℃以下の、スチレン−ブタジエン−スチレン系共重合体やスチレン−イソプレン−スチレン系共重合体など合成ゴム系、又は、エチレン−酢酸ビニル共重合体などのオレフィン系のホットメルト接着剤を用いることができる。ホットメルト接着剤の塗布方法としては、ノズルから溶融状態のホットメルト接着剤を非接触式で塗布するカーテンコート法やスパイラル法、接触式で塗布するスロット法など公知の方法が利用できる。
【００２６】
ここで、高吸収性ポリマーをホットメルト接着剤で固定すると高密度になりやすいため、ゲルブロッキングを起こりづらくし、吸収速度の低下を防止するために、高吸収性ポリマーをホットメルト接着剤で固定しないことが好ましい。高吸収性ポリマーをホットメルト接着剤で固定しない場合、着用者が吸収性物品１を着用して行動する際に、高吸収性ポリマーが長手方向に流動し、高吸収性ポリマーが偏在しやすくなる。そのため、高吸収性ポリマーをホットメルト接着剤で固定しない場合には、図３に示すように、上層基体不織布２１０と下層基体不織布２１１に、幅方向に沿って、複数のヒートシール２１２が形成され、ヒートシール２１２が形成された部位において、上層基体不織布２１０と下層基体不織布２１１がヒートシール２１２により接合していることが好ましい。このような態様でヒートシール２１２が形成されていることにより、高吸収性ポリマーの長手方向への流動性を低下させることができ、高吸収性ポリマーの偏在を抑制し、吸収体２０の吸収性を安定させることができる。また、ヒートシール２１２は、それぞれ長手方向に略等間隔に離間して形成されることが好ましく、また、ヒートシール２１２の本数は、３本以上１０本以下であることが好ましく、各ヒートシール２１２同士の間隔は５ｍｍ以上１００ｍｍ以下であることが好ましい。
【００２７】
（親水性シート）
また、図示しないが、吸収体２０は、高吸収性シートの全体を包む親水性シートを有していてもよい。高吸収性シートの全体を親水性シートで包むことにより、高吸収性ポリマーが吸収体２０の外へ漏れることを防止することができ、着用時の肌触りも向上させることができる。親水性シートとしては、ティシュ、吸収紙、スパンボンド不織布やエアレイド不織布等の親水性不織布を挙げることができ、入手性やコストの観点から親水性不織布又はティシュを用いることが好ましく、親水性シートの坪量は、７ｇ／ｍ２以上４５ｇ／ｍ２以下とすることが好ましく、８ｇ／ｍ２以上１５／ｍ２以下とすることがより好ましい。なお、高吸収性シートの全体を親水性シートで包む際には、高吸収性シートと親水性シートとを、ホットメルト接着剤や熱エンボス加工により固定することが好ましい。
【００２８】
［トップシート］
トップシート１０は、吸収体２０に向けて体液を速やかに通過させるものであり、吸収体２０を挟んで、バックシート３０に対向して配置される。トップシート１０は、肌と当接するシートとなることから、柔らかな感触で、肌に刺激を与えないような性質を有する、親水性不織布、開口ポリエチレンフィルム等の開口性フィルム、ウレタンフォーム等の発泡フィルム又はこれらを積層した複合シートから形成される。なお、トップシート１０は、単層であっても、複数層積層していてもよく、ドライタッチ性を付与するために多数の透孔が形成されていてもよい。
【００２９】
また、上記のような性質を有する親水性不織布としては、ポリプロピレンやポリエチレン等の合成繊維や、レーヨン等の再生繊維、綿等の天然繊維を用いて、サーマルボンド法、エアスルー法、スパンレース法、スパンボンド法等の公知の加工法によって得られたものを用いることができる。
【００３０】
トップシート１０の坪量は、加工性及び強度の点から、１５ｇ／ｍ２以上４０ｇ／ｍ２以下であることが好ましい。トップシート１０には、肌への刺激を低減させるために、ローション、酸化防止剤、抗炎症成分、ｐＨ調整剤、抗菌剤、保湿剤等を塗布してもよい。
【００３１】
［バックシート］
本発明に用いるバックシート３０は、液不透過性であり、遮水性を有するシート材が用いられるが、ムレ防止のために透湿性を有していてもよい。このような特性を有するバックシート３０の材料としては、例えば、ポリエチレンシートやポリエチレンラミネート不織布等の厚みの薄いプラスチックシートを挙げることができる。また、バックシート３０の坪量は、加工性及び強度の点から、１５ｇ／ｍ２以上６０ｇ／ｍ２以下であることが好ましい。
【００３２】
なお、図示しないが、バックシート３０の衣類側表面には、着用時に下着等に吸収性物品１を固着するための粘着剤層が設けられていてもよい。また、吸収性物品１が粘着剤層を有する場合、粘着剤層を保護するための剥離シートを有していてもよく、この剥離シートは、吸収性物品１の包装シートと部分的に接合されていてもよい。
【００３３】
［立体ギャザー］
吸収性物品１の身体側表面には、立体ギャザーが設けられていてもよい。この立体ギャザーは、トップシート１０とともに体液の閉じ込め空間を形成し、体液の漏れを防止できるようになっている。立体ギャザーは、立体ギャザーシートと、立体ギャザーシートの自由端部に沿って配された伸縮性弾性部材と、を備えていることが好ましい。伸縮性弾性部材としては、天然ゴム、合成ゴム、及びポリウレタン等からなる、糸状、紐状、平型形状のものを適宜使用することができる。
【００３４】
〔第二吸収体〕
本発明の吸収性物品１は、吸収体２０とバックシート３０との間に、フラッフパルプ及び高吸収性ポリマーを備える第二吸収体（図示しない）を有していてもよい。ここで、第二吸収体は、フラッフパルプ及び高吸収性ポリマーからなることが好ましい。また、第二吸収体の坪量は、５０ｇ／ｍ２以上７００ｇ／ｍ２以下であることが好ましい。第二吸収体に用いるフラッフパルプとしては、針葉樹パルプ（ＮＢＫＰ）及び広葉樹パルプ（ＬＢＫＰ）のいずれかを用いることができ、また、それらを混合して用いることもできる。第二吸収体は、親水性シートで包まれていることが好ましい。
【００３５】
＜吸収性物品の製造方法＞
吸収性物品１の製造方法としては、特に限定はなく、従来公知の方法を採用することができ、例えば、必要に応じて、立体ギャザーをあらかじめトップシート１０に配置した上で、起毛領域２０Ａと非起毛領域２０Ｂに区分された吸収体２０を、トップシート１０とバックシート３０との間に挟持し、トップシート１０とバックシート３０とを一部又は全周に亘ってホットメルト接着剤やヒートエンボス、超音波エンボス、高周波エンボス等を用いて固定することで製造することができる。そして、これを包装体に個別包装した後、長手方向に３つ折りにして折り畳めばよい。
【００３６】
以上、本発明を、実施形態を用いて説明したが、本発明の技術的範囲は上記の実施形態の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【実施例】
【００３７】
＜実施例１から５、比較例１から３＞
下記の吸収体を作製し、尿等の体液が繰り返し排泄された場合を想定した吸収速度の測定を行った。
【００３８】
［実施例１］
上層基体不織布（坪量２０ｇ／ｍ２）と下層基体不織布（坪量５０ｇ／ｍ２）としてエアスルー不織布を用意し、下層基体不織布の身体側表面の一部をノコ刃で物理的に起毛させて、起毛領域と非起毛領域に区分し、非起毛領域において、上層基体不織布と下層基体不織布の間に高吸収性ポリマー（坪量２５０ｇ／ｍ２）を均等になるように配置させ、幅方向１２５ｍｍ、長手方向２５０ｍｍの吸収体を得た。なお、起毛領域は、長手方向に連続する略帯状に形成し、起毛領域同士が幅方向で離間するように起毛領域を３本設けた。なお、各起毛領域の長手方向の寸法は２２０ｍｍ、幅方向の寸法は１０ｍｍ、に調整した。３本の起毛領域のうち１本は、吸収体の幅方向中央部に設け、隣接する起毛領域同士の幅方向の離間距離（隣接する起毛領域の間に位置する非起毛領域の幅方向の寸法）を２０ｍｍとなるように調整した。なお、高吸収性ポリマーのホットメルト接着剤による固定は行わなかった。
【００３９】
［実施例２］
各起毛領域の幅方向の寸法を１５ｍｍとし、隣接する起毛領域同士の幅方向の離間距離（隣接する起毛領域の間に位置する非起毛領域の幅方向の寸法）を１０ｍｍとした点以外は、実施例１と同様の方法により、実施例２の吸収体を得た。
【００４０】
［実施例３］
各起毛領域の幅方向の寸法を１５ｍｍとした点以外は、実施例１と同様の方法により、実施例３の吸収体を得た。
【００４１】
［実施例４］
各起毛領域の幅方向の寸法を１５ｍｍとし、隣接する起毛領域同士の幅方向の離間距離（隣接する起毛領域の間に位置する非起毛領域の幅方向の寸法）を３０ｍｍとした点以外は、実施例１と同様の方法により、実施例４の吸収体を得た。
【００４２】
［実施例５］
各起毛領域の幅方向の寸法を２０ｍｍとした点以外は、実施例１と同様の方法により、実施例５の吸収体を得た。
【００４３】
［比較例１］
吸収体に起毛領域を設けず、上層基体不織布と下層基体不織布の間に高吸収性ポリマー（坪量２５０ｇ／ｍ２）を全体的に均等になるように配置させた点以外は、実施例１と同様の方法により、比較例１の吸収体を得た。
【００４４】
［比較例２］
各起毛領域の幅方向の寸法を５ｍｍとした点以外は、実施例１と同様の方法により、比較例２の吸収体を得た。
【００４５】
［比較例３］
吸収体に起毛領域を設けず、上層基体不織布と下層基体不織布の間に高吸収性ポリマー（坪量２５０ｇ／ｍ２）を全体的に均等になるように配置させ、さらに、高吸収性ポリマーをホットメルト接着剤により固定した点以外は、実施例１と同様の方法により、比較例３の吸収体を得た。
【００４６】
［吸収速度の評価］
このようにして得た各実施例及び各比較例の吸収体について、以下の方法により繰り返し吸収時の吸収速度の評価を行った。中央に内径３０ｍｍの穴が開いており、外径が８０ｍｍで重量が２ｋｇである、円柱状の測定冶具を用意し、当該測定冶具を、吸収体の長手方向及び幅方向の中央部の位置に置き、上記の穴から０．９％生理食塩水を１０ｍｌ投下し、生理食塩水が上層基体不織布に接触した時点から、測定治具の穴の円周内に生理食塩水が完全に吸収された時点までの時間を計測し、吸収速度とする。数値が小さいほど吸収性能に優れることを示す。この試験を連続的に３回繰り返し、各試験時の吸収速度の結果を表１に示した。
【００４７】
【表１】
2019115552.tif 000003
【符号の説明】
【００４８】
１      吸収性物品
１０    トップシート
２０    吸収体
２０Ａ  起毛領域
２０Ｂ  非起毛領域
２１０  上層基体不織布
２１１  下層基体不織布
２１２  ヒートシール
３０    バックシート
【図１】
2019115552.tif 000004
【図２】
2019115552.tif 000005
【図３】
2019115552.tif 000006